(57)【要約】本発明の一実施形態に係る拡張型ケーブル分配装置は、外部から供給された複合ケーブルの端部を収容し、前記収容された複合ケーブルが分配される通路を提供するメインブロックと、前記メインブロックの一側に着脱可能に配置され、前記メインブロックを通過しながら分配された前記複合ケーブルの一部の分配方向をガイドする少なくとも１つのサブブロックと、前記少なくとも１つのサブブロックの外周面に配置され、前記分配されたケーブルの少なくとも一部と電気的に連結されるコネクタとを含むことができる。本発明の一実施形態によれば、供給された複合ケーブルを分配し、分配されたケーブルが外部に延びる方向に沿って回転可能なケーブル分配装置を提供することができる。また、本発明の一実施形態によれば、分配されたケーブルが追加される場合、モジュール型サブブロックを追加的に装着し、設置者が望む数または方向に簡便にケーブルを延長できる効果がある。【選択図】図１
2019512997.tif 000002
【特許請求の範囲】
【請求項１】
外部から供給された複合ケーブルの端部を収容し、前記収容された複合ケーブルが分配される通路を提供するメインブロックと、
前記メインブロックの一側に着脱可能に配置され、前記メインブロックを通過しながら分配された前記複合ケーブルの一部の分配方向をガイドする少なくとも１つのサブブロックと、
前記少なくとも１つのサブブロックの外周面に配置され、前記分配されたケーブルの少なくとも一部と電気的に連結されるコネクタとを含む拡張型ケーブル分配装置。
【請求項２】
前記サブブロックは、前記メインブロックに収容される前記複合ケーブルと直交する方向を中心に時計または反時計方向に回転できることを特徴とする、請求項１に記載の拡張型ケーブル分配装置。
【請求項３】
前記サブブロックは、両端が開口した形状で、前記メインブロックの一側に並んで複数個配置可能であることを特徴とする、請求項１に記載の拡張型ケーブル分配装置。
【請求項４】
前記サブブロックの外周面には、前記コネクタが載置する載置部が配置され、前記載置部は、前記複合ケーブルの一部と前記コネクタとを連結可能な分配ホールを含むことを特徴とする、請求項１に記載の拡張型ケーブル分配装置。
【請求項５】
前記メインブロックおよび前記サブブロックは、
前記メインブロックに対して前記サブブロックが回転可能に結合して前記分配されたケーブルが延びる方向をガイドする締結部を含む、請求項１に記載の拡張型ケーブル分配装置。
【請求項６】
前記メインブロックおよび前記サブブロックの締結部の間に配置され、前記メインブロックおよび前記サブブロックが互いに結合して離脱しないように、少なくとも１つの段付部を含むカップリング部材をさらに含む、請求項５に記載の拡張型ケーブル分配装置。
【請求項７】
前記カップリング部材は、リング形状のボディを含み、前記段付部は、前記ボディを中心に両方向に複数個分離配置されたことを特徴とする、請求項６に記載の拡張型ケーブル分配装置。
【請求項８】
前記メインブロックは、
外部から供給された前記複合ケーブルの端部が収容される収容ホールと、
前記収容ホールに収容された前記複合ケーブルと前記メインブロックとを結合する締結部材を含むケーブル締結部と、
前記サブブロックと回転可能に結合して前記分配されたケーブルの延長方向をガイドする拡張締結部とを含む、請求項１に記載の拡張型ケーブル分配装置。
【請求項９】
前記サブブロックは、
前記メインブロックの前記拡張締結部の内側に少なくとも一部が挿入されて結合された前端締結部と、
前記前端締結部と対向配置され、互いに異なるサブブロックまたは側面カバーと結合される後端締結部とを含む、請求項８に記載の拡張型ケーブル分配装置。
【請求項１０】
前記メインブロックと前記サブブロックとの間の回転結合を誘導するカップリング部材を含み、
前記カップリング部材は、複数の段付部が前記サブブロックの前端締結部に配置された複数の結合ホールに独立して結合し、前記メインブロックに対して前記サブブロックと前記カップリング部材が同時に回転可能に構成されたことを特徴とする、請求項９に記載の拡張型ケーブル分配装置。
【請求項１１】
前記メインブロックまたは前記サブブロックの前記締結部の内側には、リング形状の少なくとも１つのシーリング部材をさらに含む、請求項６または１０に記載の拡張型ケーブル分配装置。
【請求項１２】
前記サブブロックの外側に結合配置され、外部の異物が前記サブブロックまたは前記メインブロックの内部に侵入することを防止する側面カバーをさらに含む、請求項１に記載の拡張型ケーブル分配装置。
【請求項１３】
前記メインブロックまたは前記側面カバーと連結されて配置され、前記ケーブル分配装置を外部装置と連結して支持する支持ブラケットをさらに含む、請求項１に記載の拡張型ケーブル分配装置。
【請求項１４】
外部から供給された複合ケーブルの端部をメインブロックの下端に収容して結合する工程と、
前記複合ケーブルから分配が必要なケーブルの数に応じて、前記メインブロックの外側に少なくとも１つのサブブロックを結合配置する工程と、
前記メインブロックから延びた前記複合ケーブルの少なくとも一部を前記サブブロックに配置されたコネクタと連結する工程とを含む拡張型ケーブル分配装置の製造方法。
【請求項１５】
前記メインブロックまたは前記サブブロックの内部に配置された前記ケーブルを保護するために、前記サブブロックの外側に側面カバーを結合配置する工程をさらに含む、請求項１４に記載の拡張型ケーブル分配装置の製造方法。
【請求項１６】
前記メインブロックの外側に少なくとも１つのサブブロックを結合配置する工程において、
前記メインブロックに対して前記サブブロックが回転可能に結合して前記複合ケーブルから分配されたケーブルが延びる方向をガイドすることを特徴とする、請求項１４に記載の拡張型ケーブル分配装置の製造方法。
【請求項１７】
前記メインブロックの外側に少なくとも１つのサブブロックを結合配置する工程の前に、
前記サブブロックの外周面に配置された載置面に前記複合ケーブルの少なくとも一部と連結されるコネクタを配置する工程を含む、請求項１４に記載の拡張型ケーブル分配装置の製造方法。
【請求項１８】
前記メインブロックの外側に少なくとも１つのサブブロックを結合配置する工程において、
前記メインブロックおよび前記サブブロックが互いに回転結合するように、前記メインブロックおよび前記サブブロックの締結部の間にリング形状のカップリング部材を配置する工程を含む、請求項１４に記載の拡張型ケーブル分配装置の製造方法。
【発明の詳細な説明】
【技術分野】
【０００１】
本発明は、複合ケーブルの分配および方向転換が可能な拡張型ケーブル分配装置および拡張型ケーブル分配装置の製造方法に関する。
【背景技術】
【０００２】
一般的に、交換局装置、基地局装置または中継器などの装備または部品には、周波数が高い無線信号のような特定信号を送受信するための複合ケーブルが連結される。
【０００３】
最近、通信方式によって基地局などに配置されるアンテナの数が増加するに伴い、ＲＲＨ（ｒｅｍｏｔｅ  ｒａｄｉｏ  ｈｅａｄ）またはそれによる連結装備の数も増加する傾向にある。したがって、既存の１つの複合ケーブルと連結される入力メインボックスで構成されたケーブル装置の場合、ケーブルを分離するために、基地局管理作業者が人為的に光電複合ケーブルを脱皮し、それぞれの電力線ユニットまたは光ユニットのケーブルをボックス内でジャンパーケーブルの電力線ユニットおよび光ユニットと連結する連結作業を追加的に行わなければならないので、多くの時間と努力が要求される問題点があった。
【０００４】
また、複合ケーブルを分配する場合にも、既存の一体型で構成されたボックス形態の装置は、状況に応じた分配ケーブルの様々な方向への配置に困難があった。さらに、新しい方向への再転換時にもケーブルの長さの増加による部品費用の発生および電力損失の問題点があった。
【発明の概要】
【発明が解決しようとする課題】
【０００５】
本発明は、ケーブルの方向転換が自由な回転型ケーブル分配装置を設計することで、装備設置時にケーブルの占める設置空間およびケーブルの長さを低減しようとする。
【０００６】
本発明は、拡張可能なモジュール型ケーブル分配装置を実現することで、追加される分配ケーブルに応じてブロックの数を拡張または縮小し、設置者が必要なケーブル数だけ手軽にケーブルを分配できるようにする。
【０００７】
本発明は、拡張可能なモジュール型ケーブルブロックの結合部を脱着式で構成することで、設置者が手軽に取替または修理可能なケーブル分配装置を提供しようとする。
【課題を解決するための手段】
【０００８】
本発明の一実施形態に係る拡張型ケーブル分配装置は、外部から供給された複合ケーブルの端部を収容し、前記収容された複合ケーブルが分配される通路を提供するメインブロックと、前記メインブロックの一側に着脱可能に配置され、前記メインブロックを通過しながら分配された前記複合ケーブルの少なくとも一部の分配方向をガイドする少なくとも１つのサブブロックと、前記少なくとも１つのサブブロックの外周面に配置され、前記分配されたケーブルの少なくとも一部と電気的に連結されるコネクタとを含むことができる。
【０００９】
本発明の一実施形態によれば、前記サブブロックは、前記メインブロックに収容される前記複合ケーブルと直交する方向を中心に時計または反時計方向に回転できる。
【００１０】
本発明の一実施形態によれば、前記サブブロックは、両端が開口した形状で、前記メインブロックの一側に並んで複数個配置可能である。
【００１１】
本発明の一実施形態によれば、前記サブブロックの外周面には、前記コネクタが載置する載置部が配置され、前記載置部は、前記複合ケーブルの一部と前記コネクタとを連結可能な分配ホールを含むことができる。
【００１２】
本発明の一実施形態によれば、前記メインブロックおよび前記サブブロックは、前記メインブロックに対して前記サブブロックが回転可能に結合して前記分配されたケーブルが延びる方向をガイドする締結部を含むことができる。
【００１３】
本発明の一実施形態によれば、前記メインブロックおよび前記サブブロックの締結部の間に配置され、前記メインブロックおよび前記サブブロックが互いに結合して離脱しないように、少なくとも１つの段付部を含むカップリング部材をさらに含んでもよい。
【００１４】
本発明の一実施形態によれば、前記カップリング部材は、リング形状のボディを含み、前記段付部は、前記ボディを中心に両方向に複数個分離配置される。
【００１５】
本発明の一実施形態によれば、前記メインブロックは、外部から供給された前記複合ケーブルの端部が収容される収容ホールと、前記収容ホールに収容された前記複合ケーブルと前記メインブロックとを結合する締結部材を含むケーブル締結部と、前記サブブロックと回転可能に結合して前記分配されたケーブルの延長方向をガイドする拡張締結部とを含むことができる。
【００１６】
本発明の一実施形態によれば、前記サブブロックは、前記メインブロックの前記拡張締結部の内側に少なくとも一部が挿入されて結合された前端締結部と、前記前端締結部と対向配置され、互いに異なるサブブロックまたは側面カバーと結合される後端締結部とを含むことができる。
【００１７】
本発明の一実施形態によれば、前記メインブロックと前記サブブロックとの間の回転結合を誘導するカップリング部材を含み、前記カップリング部材は、複数の段付部が前記サブブロックの前端締結部に配置された複数の結合ホールに独立して結合し、前記メインブロックに対して前記サブブロックと前記カップリング部材が同時に回転可能に構成される。
【００１８】
本発明の一実施形態によれば、前記メインブロックまたは前記サブブロックの前記締結部の内側には、リング形状の少なくとも１つのシーリング部材をさらに含んでもよい。
【００１９】
本発明の一実施形態によれば、前記サブブロックの外側に結合配置され、外部の異物が前記サブブロックまたは前記メインブロックの内部に侵入することを防止する側面カバーをさらに含んでもよい。
【００２０】
本発明の一実施形態によれば、前記メインブロックまたは前記側面カバーと連結されて配置され、前記ケーブル分配装置を外部装置と連結して支持する支持ブラケットをさらに含んでもよい。
【００２１】
本発明の一実施形態に係る拡張型ケーブル分配装置の製造方法は、外部から供給された前記複合ケーブルの端部をメインブロックで収容して結合する工程と、前記複合ケーブルから分配が必要なケーブルの数に応じて、前記メインブロックの外側に少なくとも１つのサブブロックを結合配置する工程と、前記メインブロックから延びた前記複合ケーブルの少なくとも一部を前記サブブロックに配置されたコネクタと連結する工程とを含むことができる。
【発明の効果】
【００２２】
本発明の一実施形態によれば、供給された複合ケーブルを分配し、分配されたケーブルが外部に延びる方向に応じて回転可能なケーブル分配装置を提供することができる。
【００２３】
また、本発明の一実施形態によれば、分配されたケーブルが追加される場合、モジュール型サブブロックを追加的に装着し、設置者が望む数または方向に簡便にケーブルを延長できる効果がある。
【００２４】
さらに、本発明の一実施形態によれば、追加されるサブブロックは、状況に応じて設置者の望む方向にリアルタイム回転可能であり、外部からの流体の流入を遮断する防水機能を提供することができる。
【００２５】
また、本発明の一実施形態によれば、追加されるサブブロックの結合が簡単で、設置者の作業時間を短縮できる効果がある。
【図面の簡単な説明】
【００２６】
【図１】本発明の一実施形態に係る、ケーブル分配装置の外面を示す斜視図である。
【図２】本発明の一実施形態に係る、ケーブル分配装置の内面を示す断面図である。
【図３】本発明の一実施形態に係る、メインブロックとサブブロックとの間の結合締結構造について示す分解斜視図である。
【図４】本発明の一実施形態に係るケーブル分配装置の結合構造の関係を示す斜視図および断面図である。図４（ａ）は、ケーブル分配装置の締結部を拡大した斜視図であり、図４（ｂ）は、ケーブル分配装置の締結部の内側が示された断面図である。
【図５】図４（ｂ）を拡大した断面図である。
【図６】本発明の他の実施形態に係る、メインブロックとサブブロックとの間の結合締結構造について示す分解斜視図である。
【図７】本発明の一実施形態に係る拡張型ケーブル分配装置の製造方法について示すフローチャートである。
【発明を実施するための形態】
【００２７】
以下、本文書の多様な実施例が添付した図面を参照して記載される。しかし、これは本文書に記載の技術を特定の実施形態について限定しようとするものではなく、本文書の実施例の多様な変更（ｍｏｄｉｆｉｃａｔｉｏｎｓ）、均等物（ｅｑｕｉｖａｌｅｎｔｓ）、および／または代替物（ａｌｔｅｒｎａｔｉｖｅｓ）を含むことが理解されなければならない。図面の説明に関連し、類似の構成要素については類似の参照符号が使用可能である。
【００２８】
本文書で使われた用語は単に特定の実施例を説明するために使われたもので、他の実施例の範囲を限定しようとする意図ではない。単数の表現は、文脈上明らかに異なって示さない限り、複数の表現を含むことができる。技術的または科学的な用語を含む、ここで使われる用語は、本文書に記載の技術分野における通常の知識を有する者によって一般的に理解されるのと同じ意味を有することができる。本文書に使われた用語のうち一般的な辞書に定義された用語は、関連技術の文脈上有する意味と同一または類似の意味で解釈され、本文書で明らかに定義されない限り、理想的または過度に形式的な意味で解釈されない。場合によって、本文書で定義された用語でも本文書の実施例を排除するように解釈されない。
【００２９】
以下、添付図面を参照して、一実施形態に係る複合ケーブルを分配し延ばすケーブルブロック装置が説明される。本文書において、設置者という用語は、電子装置を設置する人または電子装置を設置する装置（例：人工知能電子装置）を指し示すことができる。
【００３０】
図１は、本発明の一実施形態に係る、ケーブル分配装置の外面を示す斜視図である。
【００３１】
本発明の一実施形態に係る、前記ケーブル分配装置１０に供給される複合ケーブル２０は、複数の電力線ユニットおよび複数の光ユニットを含んで構成される。例えば、前記複合ケーブル２０は、交換局装置、基地局装置または中継器などの装備部品に提供される、周波数が高い無線信号のような特定信号を送受信するためのＲＦケーブルを用いることができる。また、前記ＲＦケーブルは、用途および信号の周波数に応じて複数のケーブルに分配が必要であり、連結部品の構造的特徴に適するように製作されたコネクタを用いることができる。
【００３２】
本発明の一実施形態に係る、基地局装備、例えば、ＲＲＨ（ｒｅｍｏｔｅ  ｒａｄｉｏ  ｈｅａｄ）またはＲＲＡ（Ｒｅｍｏｔｅ  Ｒａｄｉｏ  Ａｎｔｅｎｎａ）で提供する複合ケーブル２０を複数のケーブル３０に分配するために、連結および取替が手軽なケーブル分配装置１０が要求される。
【００３３】
図１を参照して、ケーブル分配装置１０の構成部品について説明する。
【００３４】
図１に示されるように、ケーブル分配装置１０は、外部から供給された複合ケーブル２０の端部を収容し、前記収容された複合ケーブル２０を分配するメインブロック１００と、前記メインブロック１００と連結され、分配されたケーブル３０を延ばし保護するサブブロック３００と、前記サブブロック３００の外周面に配置され、分配されたケーブル３０を外部に提供するコネクタ５００とを含むことができる。
【００３５】
本発明の一実施形態に係る、前記メインブロック１００は、管状ハウジング形態で、ＰＡＡＳ（Ｐｏｌｙａｍｉｃ  Ａｃｉｄ  Ａｌｋｙｌａｍｉｎｅ  Ｓａｌｔｓ）、ＰＰＳ（Ｐｏｌｙｈｅｎｙｌｅｎｅ  Ｓｕｌｆｉｄｅ）、ＰＰＡ（Ｐｏｌｙｐｈｔｈａｌ  Ａｍｉｄｅ）のいずれか１つの材質からなる射出物であってもよい。メインブロック１００は、亜鉛ダイカストまたはアルミニウムダイカストで製作され、金属物を加工して製作される。また、メインブロック１００の外周面は、高塩水に強い材質で塗布される。例えば、前記外周面は、高塩水に対して腐食などに耐えられる材質で塗布またはめっきすることにより、メインブロックを外部環境から保護することができる。
【００３６】
他の例として、前記メインブロック１００は、外部から提供された複合ケーブル２０が収容される第１方向の下段ブロック１３０と、前記第１方向と互いに異なる第２方向に延びた上段ブロック１１０とを含むことができる。前記下段ブロック１３０および上段ブロック１１０は、一体型で構成され、前記第１方向および第２方向は、互いに直交する方向であってもよい。
【００３７】
本発明の一実施形態に係る、前記サブブロック３００は、メインブロック１００の端部と結合して延びる管状ハウジング形態で、前記メインブロック１００と同一材質で構成される。例えば、サブブロック３００は、ＰＡＡＳ、ＰＰＳ（Ｐｏｌｙｈｅｎｙｌｅｎｅ  Ｓｕｌｆｉｄｅ）、ＰＰＡ（Ｐｏｌｙｐｈｔｈａｌ  Ａｍｉｄｅ）のいずれか１つの材質からなる射出物であってもよい。サブブロック３００は、メインブロック１００と同様に、亜鉛ダイカストまたはアルミニウムダイカストで製作され、金属物を加工して製作される。また、サブブロック３００の外周面は、高塩水に強い材質で塗布される。例えば、前記外周面は、高塩水に対して腐食などに耐えられる材質で塗布またはめっきすることにより、サブブロックを外部環境から保護することができる。
【００３８】
本発明の一実施形態に係る、前記サブブロック３００の外周面には、コネクタ５００が載置可能な少なくとも１つの載置面３５０を配置することができる。
【００３９】
本発明の一実施形態によれば、メインブロック１００の外側に３つのサブブロック３００が結合されているが、サブブロック３００の数は一例に該当し、設置者が望む多様な数のサブブロック３００が配置される。前記拡張されたサブブロック３００の数に応じて、複合ケーブル２０から用途および信号の周波数に合わせて分配されたケーブル３０をコネクタと連結することができる。
【００４０】
本発明の一実施形態に係る、コネクタ５００は、サブブロック３００の載置面３５０に載置される円筒状の金属部であってもよい。コネクタ５００の下部面は、複合ケーブル２０の少なくとも一部と連結され、コネクタ５００の上部面は、外部に延びる新しい外部ケーブルと連結される。
【００４１】
図２は、本発明の一実施形態に係る、拡張型ケーブル分配装置の内面を示す断面図である。
【００４２】
図２に示されるように、ケーブル分配装置１０の内部には、外部から供給された複合ケーブル２０がそれぞれ分配されてサブブロック３００に拡張されることを確認することができる。
【００４３】
本発明の一実施形態に係る、メインブロック１００は、一体型で構成された管状で、互いに開口して通る下段ブロック１３０および上段ブロック１１０を含むことができる。前記下段ブロック１３０の端部は、外部から供給された複合ケーブル２０の端部が収容される収容ホール１５０と、前記収容ホール１５０に収容された複合ケーブル２０と前記下段ブロック１３０とを結合するケーブル締結部１７０とを含むことができる。
【００４４】
本発明の一実施形態により、ケーブル締結部１７０は、金属材質で複合ケーブル２０と結合して構造的に締結剛性を提供することができる。前記ケーブル締結部１７０は、例えば、ナットであってもよいし、ねじ線が設けられた複合ケーブル２０の端部と固定結合することができる。
【００４５】
ただし、複合ケーブル２０の端部は、ねじ線以外にも、溝または段付が設けられた多様な結合構造に変形可能であり、このような変形例により、前記収容ホール１５０およびケーブル締結部１７０も多様な形態に変形実施できる。
【００４６】
本発明の一実施形態に係る、前記上段ブロック１１０は、下段ブロック１３０の上部に連結配置され、両側に開口しサブブロック３００と結合される。下段ブロック１３０から収容された複合ケーブル２０のの一部は、上段ブロック１１０の内部で多様な用途に応じた周波数ごとに分配される。
【００４７】
本発明の一実施形態により、上段ブロック１１０の両側に開口した両端部は、サブブロック３００と結合する拡張締結部１９０を含むことができる。前記拡張締結部１９０は、サブブロック３００の前端締結部３１０と相互結合し、前記サブブロック３００の端部が挿入可能なサブブロック３００より大きいサイズで構成することができる。例えば、管状の拡張締結部１９０は、管状の前端締結部３１０の直径より大きいサイズの直径で構成され、前記拡張締結部１９０の内側にサブブロック３００の前端締結部３１０が挿入結合可能である。
【００４８】
本発明の一実施形態に係る、上段ブロック１１０の拡張締結部１９０は、前記サブブロック３００の前端締結部３１０と挿入結合しながら内側に溝が生成され、前記溝にシーリング部材８００が配置される。前記シーリング部材８００は、外部流体がケーブル分配装置１０の内部に侵入することを防止する防水機能を提供することができる（図４および図５を参照）。シーリング部材８００の具体的な説明は後述する。
【００４９】
本発明の一実施形態に係る、サブブロック３００は、両端が開口した管形状で、内部にメインブロック１００で分配されたケーブル３０が通過する通路を提供することができる。サブブロック３００の一端は、前記メインブロック１００の拡張締結部１９０の内側に少なくとも一部が挿入されて結合する前端締結部３１０が構成される。また、サブブロック３００の他の一端は、前記前端締結部３１０と対向配置され、互いに異なるサブブロック３００または側面カバー４００と結合する後端締結部３３０が構成される。
【００５０】
本発明の一実施形態に係る、前記前端締結部３１０の内側開口は、メインブロック１００または他のサブブロック３００から伝達された、分配されたケーブル３０が入る入口を提供することができる。また、前記後端締結部３３０の内側開口は、他のサブブロック３００に前記分配されたケーブル３０を伝達する出口を提供することができる。
【００５１】
本発明の一実施形態に係る、サブブロック３００は、前記前端締結部３１０とメインブロック１００とを連結して前記複合ケーブル２０から分配されたケーブル３０を配分することができる。他の例として、前記サブブロック３００は、前記後端締結部３３０と互いに異なるサブブロック３００との間の連結により分配されたケーブル３０を拡張することができる。
【００５２】
本発明の一実施形態に係る、拡張型ケーブル分配装置１０は、前記サブブロック３００の後端締結部３３０に側面カバー４００と結合して追加的な複合ケーブル２０の分配を遮断し、外部からの異物の侵入を防止することができる。
【００５３】
本発明の一実施形態に係る、サブブロック３００は、コネクタ５００が載置される載置面３５０を含むことができる。前記載置面３５０は、サブブロック３００の外周面に配置され、サブブロック３００の内部と連結可能な少なくとも１つの載置ホール３５１を含むことができる。
【００５４】
他の例として、前記載置面３５０は、サブブロック３００の前端締結部３１０および後端締結部３３０の間に配置され、コネクタ５００の下側の少なくとも一部が収容可能な溝形状に備えられる。前記溝は、コネクタ５００の下側に対応する形状に備えられ、コネクタ５００が容易に支持され固定付着するようにしてもよい。
【００５５】
本発明の一実施形態に係る、前記載置ホール３５１は、分配されたケーブル３０がコネクタ５００と連結可能な通路を提供することができる。メインブロック１００またはサブブロック３００で分配されたケーブル３０は、前記載置ホール３５１を介してコネクタ５００の下面に接触して電気的に連結される。
【００５６】
本発明の一実施形態によれば、メインブロック１００に提供される複合ケーブル２０（３ｐａｉｒ＊１２ｃｏｒｅ）は、３つの分配ケーブル３０に分配可能な構造である。設置者が前記複合ケーブル２０を３つの分配ケーブル３０に転換するためには、３つのサブブロック３００をメインブロック１００の側面に結合することができる。まず、メインブロック１００の両側に配置された拡張締結部１９０およびサブブロック３００の前端締結部３１０と結合してケーブル分配装置１０の長さを拡張することができる。また、結合されたサブブロック３００の外側にもう１つのサブブロック３００を延ばし、各サブブロック３００ごとに分配されたケーブル３０（１ｐａｉｒ＊４ｃｏｒｅ）を提供することができる。各サブブロック３００のコネクタ５００に各分配されたケーブル３０を連結すると、簡単な操作で計３つの分配ケーブルを実現することができる。そして、回転可能なサブブロック３００で方向を手軽に制御し、設置者が望む方向に外部ケーブルと連結することができる。
【００５７】
以下、各メインブロック１００またはサブブロック３００の結合部の回転構成を詳細に説明する。
【００５８】
図３は、本発明の一実施形態により、メインブロックとサブブロックとの間の結合締結構造について示す分解斜視図である。図４は、本発明の一実施形態に係るケーブル分配装置の結合構造の関係を示す斜視図および断面図である。図４（ａ）は、ケーブル分配装置の締結部を拡大した斜視図であり、図４（ｂ）は、ケーブル分配装置の締結部の内側が示された断面図である。図５は、図４（ｂ）を拡大した断面図である。
【００５９】
図３〜図５に示されるように、ケーブル分配装置１０は、前記メインブロック１００またはサブブロック３００の締結部が互いに回転可能な結合を誘導するカップリング部材７００を含むことができる。ここで、前記締結部は、メインブロック１００の拡張締結部１９０と、サブブロック３００の前端締結部３１０とを含み、具体的には、メインブロック１００の拡張締結部１９０の内側にサブブロック３００の前端締結部３１０が挿入結合された構成を意味する。
【００６０】
本発明の一実施形態に係る、ケーブル分配装置１０は、メインブロック１００とサブブロック３００とを含み、前記図３で、前記メインブロック１００の左側に対面配置されたサブブロック３００を第１サブブロック３００（ａ）、前記メインブロック１００の右側に対面配置されたサブブロック３００を第２サブブロック３００（ｂ）と称する。また、前記第１サブブロック３００（ａ）の左側に配置されたサブブロックを第３サブブロック３００（ｃ）と称する。
【００６１】
本発明の一実施形態に係るカップリング部材７００は、メインブロック１００の拡張締結部１９０と第１サブブロック３００（ａ）または第２サブブロック３００（ｂ）の前端締結部３１０との間に配置され、前記メインブロック１００と前記第１サブブロック３００（ａ）または前記メインブロック１００と第２サブブロック３００（ｂ）とが互いに結合して離脱しないように、少なくとも１つの段付部７３０（ａ）、（ｂ）を含むことができる。
【００６２】
他の実施形態に係るカップリング部材７００は、第１サブブロック３００（ａ）の後端締結部３３０と第３サブブロック３００（ｃ）の前端締結部３１０との間に配置され、前記第１サブブロック３００（ａ）と第３サブブロック３００（ｃ）とが互いに結合して離脱しないように、少なくとも１つの段付部７３０（ａ）、（ｂ）を含むことができる。
【００６３】
本発明の一実施形態に係る、ケーブル分配装置１０の第２サブブロック３００（ｂ）の後端締結部３３０および第３サブブロック３００（ｃ）の後端締結部３３０は、側面カバー４００と結合して前記ケーブル分配装置１０を外部と遮断することができる。
【００６４】
本発明の一実施形態に係る、カップリング部材７００は、閉鎖された曲線形状（例えば、リング形状）のボディ７１０を含んで構成され、前記ボディ７１０を中心に両方向に分離配置された段付部７３０（ａ）、（ｂ）を含むことができる。
【００６５】
本発明の一実施形態に係る、カップリング部材７００のボディ７１０の下端は、第１サブブロック３００（ａ）の前端締結部３１０の一面に配置され、サブブロック３００と同時に回転できるように、結合と同時にスライド回転できる。
【００６６】
本発明の一実施形態に係る、カップリング部材７００の段付部７３０（ａ）、（ｂ）は、第１サブブロック３００（ａ）の前端締結部３１０と結合する第１段付部７３０（ａ）と、メインブロック１００の拡張締結部１９０と結合する第２段付部７３０（ｂ）とを含むことができる。前記第１段付部７３０（ａ）および第２段付部７３０（ｂ）は、複数個で構成される。ここで、図３には、第１段付部７３０（ａ）と第２段付部７３０（ｂ）とを有するカップリング部材７００が第２サブブロック３００（ｂ）の前端締結部３１０とメインブロック１００の拡張締結部１９０との間に配置された例示が示されているが、前記第１段付部７３０（ａ）と第２段付部７３０（ｂ）とを有するカップリング部材７００が第１サブブロック３００（ａ）の前端締結部３１０とメインブロック１００の拡張締結部１９０との間にも同一に配置されることは自明である。
【００６７】
前記第１段付部７３０（ａ）と結合する第１サブブロック３００（ａ）の前端締結部３１０は、複数の結合ホール３６０を含むことができる。前記複数の結合ホール３６０それぞれは、前記第１段付部７３０（ａ）それぞれと個別的に篏合して固定される。したがって、第１サブブロック３００（ａ）が分配されたケーブル３０の方向転換のための回転時、カップリング部材７００も前記第１サブブロック３００（ａ）の回転に相応して同時に回転できる。
【００６８】
これに対し、前記第２段付部７３０（ｂ）と結合するメインブロック１００の拡張締結部１９０は、閉鎖曲線形状の１つの結合ホール３６０を含むことができる。前記１つの結合ホール３６０は、第２段付部７３０（ｂ）と篏合して前記サブブロックが離脱しないように固定される。ただし、第２段付部７３０（ｂ）と結合ホール３６０との結合は、第１サブブロック３００（ａ）の回転方向には固定結合されないことから、前記カップリング部材７００は回転可能である。すなわち、メインブロック１００は動かない状態でカップリング部材７００のみ回転可能である。
【００６９】
本発明の一実施形態に係る、第２サブブロック３００（ｂ）は、メインブロック１００の右側に結合配置され、第１サブブロック３００（ａ）と同一の方式で結合および回転動作できる。例えば、カップリング部材７００の段付部７３０（ａ）、（ｂ）は、第２サブブロック３００（ｂ）の前端締結部３１０と結合する第１段付部７３０（ａ）と、メインブロック１００の拡張締結部１９０と結合する第２段付部７３０（ｂ）とを含むことができる。前記第１段付部７３０（ａ）および第２段付部７３０（ｂ）は、複数個で構成される。
【００７０】
前記第１段付部７３０（ａ）と結合する第２サブブロック３００（ｂ）の前端締結部３１０は、複数の結合ホール３６０を含むことができる。前記複数の結合ホール３６０それぞれは、前記第１段付部７３０（ａ）それぞれと個別的に篏合して固定される。
【００７１】
したがって、第２サブブロック３００（ｂ）に分配されたケーブル３０の方向転換のための回転時、カップリング部材７００も第２サブブロック３００（ｂ）の回転に相応して同時に回転できる。
【００７２】
本発明の一実施形態に係る、前記カップリング部材７００とメインブロック１００またはサブブロック３００の結合により、固定されたメインブロック１００に対して前記サブブロック３００が回転可能である。したがって、サブブロック３００の外周面に配置されたコネクタ５００は、サブブロック３００と共に回転が可能で、設置者が望む方向に分配されたケーブル３０と外部装置（例えば、ケーブル）とを連結することができる。
【００７３】
分配されたケーブルが固定された方向で外部ケーブルと連結されるため、コネクタが配置された方向と反対方向に外部ケーブルが位置する場合に、外部ケーブルの長さが追加的にさらに必要であり、外部ケーブルのねじれ現象が起こる問題点があった。また、外部ケーブルの長さの延長による電力損失（ｌｏｓｓ）が発生する問題点があった。
【００７４】
しかし、本発明に係る拡張型ケーブル分配装置１０は、外部ケーブルの方向に応じて、設置者が自由にコネクタの位置を変更できるように回転可能なサブブロック３００を実現することにより、部品費を低減し、損失する電力を最小化する効果がある。
【００７５】
また、サブブロック３００が分配されるケーブルに応じて追加的に延長し除去することができ、設置者の作業時間が短縮する効果がある。
【００７６】
図６は、本発明の他の実施形態により、メインブロックとサブブロックとの間の結合締結構造について示す分解斜視図である。
【００７７】
図６に示されるように、ケーブル分配装置１０は、図３で用いられたサブブロック３００以上の追加的なケーブル分配が必要な場合、追加的なサブブロック３００を結合して用いることができる。
【００７８】
図３で、メインブロック１００に提供される複合ケーブル２０（３ｐａｉｒ＊１２ｃｏｒｅ）は、３つの分配ケーブル３０に分配可能な構造を説明したが、図４では、メインブロック１００に提供される複合ケーブル２０（５ｐａｉｒ＊２０ｃｏｒｅ）は、５つの分配ケーブル３０に分配可能な構造を説明する。
【００７９】
本発明の一実施形態に係る、メインブロック１００に提供される複合ケーブル２０（３ｐａｉｒ＊１２ｃｏｒｅ）は、５つの分配ケーブルに分配可能な構造である。設置者が前記複合ケーブル２０を５つの分配ケーブルに転換するためには、５つのサブブロック３００をメインブロック１００の側面に結合することができる。まず、メインブロック１００の両側に配置された拡張締結部１９０およびサブブロック３００の前端締結部３１０と結合してケーブル分配装置１０の長さを拡張することができる。また、結合されたサブブロック３００の外側にもう１つのサブブロック３００を延ばし、各サブブロック３００ごとに分配されたケーブル３０（１ｐａｉｒ＊４ｃｏｒｅ）を提供することができる。各サブブロック３００のコネクタ５００に各分配されたケーブル３０を連結すると、簡単な操作で計５つの分配ケーブルを実現することができる。そして、回転可能なサブブロック３００で方向を手軽に制御し、設置者が望む方向に外部ケーブルと連結することができる。
【００８０】
前記図６で、図３の第１サブブロック３００（ａ）、第２サブブロック３００（ｂ）および第３サブブロック３００（ｃ）がメインブロック１００に連結された状態で、追加的に第４サブブロック３００（ｄ）および第５サブブロック３００（ｅ）の連結構造に関して説明する。前記カップリング部材７００は同一の構造であるので、具体的な構成は省略する。
【００８１】
本発明の一実施形態に係る、カップリング部材７００の段付部７３０（ａ）、（ｂ）は、第５サブブロック３００（ｅ）の前端締結部３１０と結合する第１段付部７３０（ａ）と、第３サブブロック３００（ｃ）の後端締結部３３０と結合する第２段付部７３０（ｂ）とを含むことができる。
【００８２】
本発明の一実施形態に係る、前記第１段付部７３０（ａ）と結合する第５サブブロック３００（ｅ）の前端締結部３１０は、複数の結合ホール３６０を含むことができる。前記複数の結合ホール３６０それぞれは、前記第１段付部７３０（ａ）それぞれと個別的に篏合して固定される。したがって、第５サブブロック３００（ｅ）に分配されたケーブル３０の方向転換のための回転時、カップリング部材７００もこれに相応して同時に回転できる。
【００８３】
これに対し、前記第２段付部７３０（ｂ）と結合する第３サブブロック３００（ｃ）の後端締結部３３０は、閉鎖曲線形状の１つの結合ホール３６０を含むことができる。前記１つの結合ホール３６０は、第２段付部７３０（ｂ）と篏合してサブブロックが離脱しないように固定される。ただし、第２段付部７３０（ｂ）と結合ホール３６０との結合は、第３サブブロック３００（ｃ）の回転方向には固定結合されないことから、前記カップリング部材７００は回転可能である。すなわち、メインブロック１００は動かない状態でカップリング部材７００のみ回転可能である。
【００８４】
本発明の一実施形態に係る、第４サブブロック３００（ｄ）は、第２サブブロック３００（ｂ）の右側に結合配置され、第５サブブロック３００（ｅ）と同一の方式で結合および回転動作できる。例えば、カップリング部材７００の段付部７３０（ａ）、（ｂ）は、第４サブブロック３００（ｄ）の前端締結部３１０と結合する第１段付部７３０（ａ）と、第２サブブロック３００（ｂ）の後端締結部３３０と結合する第２段付部７３０（ｂ）とを含むことができる。前記第１段付部７３０（ａ）および第２段付部７３０（ｂ）は、複数個で構成される。
【００８５】
前記第１段付部７３０（ａ）と結合する第４サブブロック３００（ｄ）の前端締結部３１０は、複数の結合ホール３６０を含むことができる。前記複数の結合ホール３６０それぞれは、前記第１段付部７３０（ａ）それぞれと個別的に篏合して固定される。
【００８６】
したがって、サブブロック３００に分配されたケーブル３０の方向転換のための回転時、カップリング部材７００もこれに相応して同時に回転できる。
【００８７】
本発明の一実施形態に係る、前記カップリング部材７００と第４、第５サブブロック３００（ｄ）、３００（ｅ）および第２、第３サブブロック３００（ｂ）、３００（ｃ）の結合により、第２、第３サブブロック３００（ｂ）、３００（ｃ）に対して前記第４、第５サブブロック３００（ｄ）、３００（ｅ）が回転できる。したがって、第４、第５サブブロック３００（ｄ）、３００（ｅ）の外周面に配置されたコネクタ５００は、サブブロック３００と回転が可能で、設置者が望む方向に分配されたケーブル３０と外部装置（例えば、外部ケーブル）とを連結することができる。
【００８８】
本発明の一実施形態によれば、計５つのサブブロック３００の数をメインブロック１００の両側に配置した。ただし、サブブロック３００の数はこれに限定されたものではなく、同一の締結構造を有する追加的なサブブロック３００を設置者が望むケーブルの分配数だけ拡張することができ、すでに設けられたサブブロック３００も手軽に除去することができる。
【００８９】
さらに図４および図５を参照すれば、前記締結部は、メインブロック１００およびサブブロック３００の間の締結構造であってもよいし、サブブロック３００および互いに異なるサブブロック３００間の締結構造であってもよい。サブブロック３００の締結構造は、上記説明のように、メインブロック１００−第１サブブロック３００（ａ）−第３サブブロック３００（ｃ）−第５サブブロック３００（ｅ）の間の締結関係であってもよい。また、メインブロック１００−第２サブブロック３００（ｂ）−第４サブブロック３００（ｄ）の間の締結関係であってもよい。
【００９０】
本発明の一実施形態に係る、ケーブル分配装置１０は、メインブロック１００と第１サブブロック３００（ａ）との間に配置され、外部から流体の流入を遮断するシーリング部材８００をさらに含んでもよい。
【００９１】
本発明の一実施形態に係るシーリング部材８００は、リング形状の構造で、メインブロック１００の拡張締結部１９０の下部および前記サブブロック３００の前端締結部３１０の上部と接触配置され、ケーブル分配装置１０の内部空間を外部と遮断することができる。前記シーリング部材８００は、カップリング部材７００の外側で、前記前端締結部３１０の一面を基準として前記カップリング部材７００と同一線上に配置される。
【００９２】
本発明の一実施形態に係る、メインブロック１００とサブブロック３００との間の結合またはサブブロック３００間の結合によって溝が形成され、前記溝にシーリング部材８００が挿入配置される。前記溝端部は、メインブロック１００またはサブブロック３００の内部に入る隙間を提供可能で、シーリング部材８００を介して遮断しようとする。ここで、シーリング部材８００は、メインブロック１００とサブブロック３００との結合により圧着される弾性材質を含むことができる。シーリング部材８００の上面は、サブブロックと接触配置されるため、サブブロック３００の回転によって摩擦力を提供し、設置者がサブブロック３００を受動的に回転する時、回転質感を提供することができる。他の例として、前記シーリング部材８００は、防水性能を拡張するために、前記溝内部に複数個配置することができる。
【００９３】
本発明の一実施形態に係る、シーリング部材８００は、メインブロック１００と第２サブブロック３００（ｂ）との間、またはメインブロック１００と第１サブブロック３００（ａ）との間、または第１サブブロック３００（ａ）と第３サブブロック３００（ｃ）との間に配置される。他の例として、第２サブブロック３００（ｂ）と第４サブブロック３００（ｄ）との間、または第３サブブロック３００（ｃ）と第５サブブロック３００（ｅ）との間に配置される。
【００９４】
本発明の一実施形態に係る、ケーブル分配装置１０は、両端に側面カバー４００が配置され、内部空間を外部環境と遮断することができる。前記側面カバー４００は、一面が閉じた円筒形状であり、開口した他の一面は、サブブロック３００の後端締結部３３０と結合する前端締結部４１０を含むことができる（図３参照）。
【００９５】
本発明の一実施形態に係る、側面カバー４００の前端締結部４１０は、それぞれのサブブロック３００の前端締結部３１０と同一の構造および機能を含むことができる。例えば、カップリング部材７００を介してサブブロック３００と結合するために、前記カップリング部材７００の段付部７３０（ａ）、（ｂ）と結合するための複数の結合溝４６０を含むことができる。他の例として、サブブロック３００の後端締結部３３０に挿入配置できるように、側面カバー４００の前端締結部４１０は、サブブロック３００の後端締結部３３０より小さい直径を有するように構成される。
【００９６】
本発明の一実施形態に係る、ケーブル分配装置１０の外周面には、支持ブラケット９００を配置して、本装置を固定することができる（図２を参照）。前記支持ブラケット９００は、メインブロック１００の外周面上に配置され、複合ケーブル２０が上下方向を向くように外部装置と結合してケーブル分配装置１０を固定することができる。
【００９７】
前記支持ブラケット９００でメインブロック１００を固定して、サブブロック３００の相対的回転時、ケーブル分配装置１０の中心を支持し、設置者が望む方向に外部ケーブルを有利に連結することができる。
【００９８】
本発明の一実施形態に係る支持ブラケット９００は、メインブロック１００の外周面のほかにも、前記側面カバー４００の外面に連結されて本装置を固定することができる。前記支持ブラケット９００がケーブル分配装置１０の中心と両端部を支持することにより、サブブロック３００を回転し、設置者が望む方向に外部ケーブルを有利に連結することができる。
【００９９】
以下、上記の多様な実施形態により、拡張型ケーブル分配装置の製造方法について説明する。
【０１００】
図７は、本発明の一実施形態に係る拡張型ケーブル分配装置の製造方法について示すフローチャートである。
【０１０１】
図７に示されるように、ケーブル分配装置１０の製造方法は、工程１０により、優先的に外部から供給された複合ケーブル２０の端部がメインブロック１００に収容されて結合する工程を進行させることができる。
【０１０２】
ただし、設置者は予め複合ケーブル２０から分配されるケーブルの数を予め定めて全体のサブブロック３００が必要な数を計算することができる。例えば、図３のように、設置者が複合ケーブル２０から必要な周波数に応じて、３つの分配されたケーブル３０を用いようとする場合に、メインブロック１００と両側に配置される３つのサブブロック３００を予め用意して製作することができる。他の例として、図４のように、設置者が複合ケーブル２０から必要な周波数に応じて、５つの分配されたケーブル３０を用いようとする場合に、メインブロック１００と両側に配置される５つのサブブロック３００を予め準備して製作することができる。
【０１０３】
本発明の一実施形態により、メインブロック１００は、一体型で構成された管状で、互いに開口して通る下段ブロック１３０および上段ブロック１１０を含んで製作することができる。前記下段ブロック１３０の端部は、外部から供給された複合ケーブル２０の端部が収容される収容ホール１５０と、前記収容ホール１５０に収容された複合ケーブル２０と前記下段ブロック１３０とを結合するケーブル締結部１７０とを含むことができる。
【０１０４】
本発明の一実施形態により、ケーブル締結部１７０は、金属材質で複合ケーブル２０と結合して構造的に締結剛性を提供することができる。
【０１０５】
本発明の一実施形態により、前記上段ブロック１１０は、下段ブロック１３０の上部に連結配置され、両側に開口しサブブロック３００と結合される。下段ブロック１３０から収容された複合ケーブル２０の一部は、上段ブロック１１０の内部で分配される工程が進行できる。
【０１０６】
前記メインブロック１００と複合ケーブル２０とが結合された後、工程３０により、前記複合ケーブル２０から分配が必要なケーブルの数に応じて、前記メインブロック１００の外側に少なくとも１つのサブブロック３００が結合配置される工程が進行できる。
【０１０７】
本発明の一実施形態により、サブブロック３００は、両端が開口した管形状で、内部にメインブロック１００で分配されたケーブル３０が通過する通路を提供することができる。
【０１０８】
サブブロック３００の一端は、前記メインブロック１００の拡張締結部１９０の内側に少なくとも一部が挿入されて結合する前端締結部３１０が構成され、サブブロック３００の他の一端は、前記前端締結部３１０と対向配置され、互いに異なるサブブロック３００または側面カバー４００と結合する後端締結部３３０が構成される。
【０１０９】
本発明の一実施形態により、前記前端締結部３１０の内側開口は、メインブロック１００または他のサブブロック３００から伝達された、分配されたケーブル３０が入る入口を提供することができる。また、前記後端締結部３３０の内側開口は、他のサブブロック３００に分配されたケーブル３０を伝達する出口を提供することができる。
【０１１０】
本発明の一実施形態に係る、カップリング部材７００は、メインブロック１００の拡張締結部１９０とサブブロック３００の前端締結部３１０との間に配置され、前記メインブロック１００と前記サブブロック３００とが互いに結合して離脱しないように、少なくとも１つの段付部７３０（ａ）、（ｂ）を含むことができる。
【０１１１】
他の実施形態に係る、カップリング部材７００は、サブブロック３００の後端締結部３３０と互いに異なるサブブロック３００の前端締結部３１０との間に配置され、前記サブブロック３００が互いに結合して離脱しないように、少なくとも１つの段付部７３０（ａ）、（ｂ）を含むことができる。
【０１１２】
本発明の一実施形態に係る、カップリング部材７００のボディ７１０の下端は、サブブロック３００の前端締結部３１０の一面に配置され、サブブロック３００と同時に回転できるように、結合と同時にスライド回転できる。
【０１１３】
本発明の一実施形態に係る、カップリング部材７００の段付部７３０（ａ）、（ｂ）は、サブブロック３００の前端締結部３１０と結合する第１段付部７３０（ａ）と、メインブロック１００の拡張締結部１９０と結合する第２段付部７３０（ｂ）とを含むことができる。前記第１段付部７３０（ａ）および第２段付部７３０（ｂ）は、複数個で構成される。
【０１１４】
前記第１段付部７３０（ａ）と結合するサブブロック３００の前端締結部３１０は、複数の結合ホール３６０を含むことができる。前記複数の結合ホール３６０それぞれは、前記第１段付部７３０（ａ）それぞれと個別的に篏合して固定される。したがって、第１サブブロック３００（ａ）が分配されたケーブル３０の方向転換のための回転時、カップリング部材７００もこれに相応して同時に回転できる。
【０１１５】
これに対し、前記第２段付部７３０（ｂ）と結合するメインブロック１００の拡張締結部１９０は、閉鎖曲線形状の１つの結合ホール３６０を含むことができる。前記１つの結合ホール３６０は、第２段付部７３０（ｂ）と篏合して前記サブブロックが離脱しないように固定される。ただし、第２段付部７３０（ｂ）と結合ホール３６０との結合は、サブブロック３００の回転方向には固定結合されないことから、前記カップリング部材７００は回転可能である。すなわち、メインブロック１００は動かない状態でカップリング部材７００のみ回転可能である。
【０１１６】
本発明の一実施形態に係る、カップリング部材７００の同時回転および固定構造は、互いに異なるサブブロック３００の間にも適用可能であることは当然である。
【０１１７】
この後、工程５０により、前記メインブロック１００から延びた前記複合ケーブルの少なくとも一部を前記サブブロックに配置されたコネクタ５００と連結する工程が進行できる。
【０１１８】
設置者は、工程３０の前に、サブブロック３００には、分配されたケーブル３０と電気的連結されて外部ケーブルと接続するコネクタ５００を配置することができる。
【０１１９】
本発明の一実施形態により、前記コネクタ５００は、サブブロック３００の外周面に配置された載置面３５０に載置され、前記載置面３５０は、サブブロック３００の内部と連結可能な少なくとも１つの載置ホール３５１を含むように構成することができる。
【０１２０】
本発明の一実施形態により、前記載置ホール３５１は、分配されたケーブル３０がコネクタ５００と連結可能な通路を提供することができる。したがって、メインブロック１００またはサブブロック３００から分配されたケーブル３０は、前記載置ホール３５１を介してコネクタ５００の下面に接触して電気的に連結される。
【０１２１】
この後、工程７０により、前記メインブロック１００または前記サブブロック３００の内部に配置された前記複合ケーブル２０または前記分配されたケーブル３０を保護するために、前記サブブロック３００の外側に側面カバー４００を結合する工程が進行できる。
【０１２２】
ケーブル分配装置１０の両端は、側面カバー４００が配置され、内部空間を外部環境と遮断することができる。前記側面カバー４００は、一面が閉じた円筒形状であり、開口した他の一面は、サブブロック３００の後端締結部３３０と結合する前端締結部４１０を含んで構成することができる。
【０１２３】
本発明の一実施形態に係る、側面カバー４００の前端締結部４１０は、上述したサブブロック３００の前端締結部３１０と同一の構造および機能を含むことができる。例えば、カップリング部材７００を介してサブブロック３００と結合するために、前記カップリング部材７００の段付部７３０（ａ）、（ｂ）と結合するための複数の結合溝４６０を含むことができる。他の例として、サブブロック３００の後端締結部３３０に挿入配置できるように、側面カバー４００の前端締結部４１０は、サブブロック３００の後端締結部３３０より小さい直径を有するように構成される。
【０１２４】
本発明の一実施形態に係るケーブル分配装置１０の製造方法で、外部ケーブルの方向に応じて、設置者が自由にコネクタの位置を変更できるように回転可能なサブブロック３００を実現することにより、部品費を低減し、損失する電力を最小化することができる。
【０１２５】
また、周波数に応じて必要なケーブルを拡張するために、簡単にサブブロック３００を拡張することができ、拡張方法も簡便で、設置者の作業時間が短縮できる。
【０１２６】
以上で説明した本発明の多様な実施例の拡張型ケーブル分配装置は、上述した実施例および図面によって限定されるものではなく、本発明の技術的範囲内で様々な置換、変形および変更が可能であることは、本発明の属する技術分野における通常の知識を有する者にとって明らかであろう。
【産業上の利用可能性】
【０１２７】
本発明によれば、ケーブルの方向転換が自由となるように設計することにより、装備設置時にケーブルの占める設置空間およびケーブルの長さを低減可能なケーブル分配装置を製造することができる。
【符号の説明】
【０１２８】
１０：ケーブル分配装置
２０：複合ケーブル
１００：メインブロック
３００：サブブロック
４００：側面カバー
５００：コネクタ
７００：カップリング部材
８００：シーリング部材
９００：支持ブラケット
１１０：上段ブロック
１３０：下段ブロック
１５０：収容ホール
１７０：ケーブル締結部
１９０：拡張締結部
３００(ａ）: 第１サブブロック
３００(ｂ）: 第２サブブロック
３１０：前端締結部
３３０：後端締結部
３５０：載置面
３５１：載置ホール
３６０：結合ホール
７１０：ボディ
【図１】
2019512997.tif 000003
【図２】
2019512997.tif 000004
【図３】
2019512997.tif 000005
【図４】
2019512997.tif 000006
【図５】
2019512997.tif 000007
【図６】
2019512997.tif 000008
【図７】
2019512997.tif 000009
【国際調査報告】
2019512997.tif 000010
2019512997.tif 000011
2019512997.tif 000012
2019512997.tif 000013